(57)【要約】【課題】デジタルカメラで撮影する写真などは高精細高画質化の進歩とともに年々画像サイズが増大する傾向にあり、ＡＶ再生装置を利用してＴＶのモニター画面に映し出す際にファイルの読み出し、圧縮データのデコード、画像サイズの変更にかかる処理が多いため表示されるまでの所要時間が長い点。【解決手段】画素サイズを小さくまたは大きくした、あるいは縦横の長さの比率を変更した、あるいは画像の向きを回転した別の静止画データファイルを読み出して表示したり、プレイリストで示された通りに静止画を表示する動画データファイル中の任意の画像の再生時間位置から再生できる構成とすることで、快適に写真やスライドショーを鑑賞できるという効果が得られる。【選択図】図１
2007020055.tif 000002
【特許請求の範囲】
【請求項１】
静止画、オーディオ、動画のコンテンツデータファイルと前記コンテンツデータファイルの内容一覧情報または再生順序を定義したプレイリスト情報を示した管理情報ファイルを保持する記録媒体から前記コンテンツデータファイル及び前記管理情報ファイルの読み出しを行うファイル読み出し手段と、前記ファイル読み出し手段で読み出されたコンテンツデータファイルのデコードを行うコンテンツデータファイルデコード手段と、ユーザーの操作入力に従って前記コンテンツデータファイルを再生するための動作を制御する再生制御手段とを備え、前記再生制御手段はユーザーが前記内容一覧情報または前記プレイリスト情報の中から再生するコンテンツを選択した場合に、選択されたとは異なる別の前記コンテンツデータファイルを再生するように動作することを特徴とする再生装置。
【請求項２】
ユーザーが前記内容一覧情報の中から１個の静止画データファイルを再生するように選択した場合に、その静止画データファイルを元に、モニター画面に表示するのに適した解像度になるように画素サイズを小さくあるいは大きくした、あるいは縦横の長さの比率を変更した、あるいは画像の向きを回転した静止画として加工されていて前記記録媒体にあらかじめ保存してある別の静止画データファイルを読み出して表示することを特徴とする請求項１記載の再生装置。
【請求項３】
ユーザーが前記内容一覧情報の中から静止画データファイルの再生順序を定義したプレイリストを再生するように選択した場合に、前記プレイリストで示された表示時間間隔で順番に静止画を表示するように作成されていて前記記録媒体にあらかじめ保存してある動画データファイルを読み出して表示することを特徴とする請求項１記載の再生装置。
【請求項４】
前記プレイリストには静止画データファイルの再生順序の情報に加え、静止画の表示に合わせて同時に再生するオーディオデータファイルの情報も示されている場合には、前記プレイリストで示された表示時間間隔で順番に静止画を表示しながらオーディオも再生するように作成されていて前記記録媒体にあらかじめ保存してある動画データファイルを読み出して表示することを特徴とする請求項３記載の再生装置。
【請求項５】
ユーザーが前記内容一覧情報の中から１個の静止画データファイルを選択し、一覧で表示されたファイルを順番に再生するように指示した場合に、前記内容一覧情報のリストで示された静止画を決められた表示時間間隔で順番に表示するように作成されていて前記記録媒体にあらかじめ保存してある動画データファイルを読み出し、ユーザーが選択した静止画データファイルから表示することを特徴とする請求項１記載の再生装置。
【請求項６】
前記プレイリストまたは前記内容一覧情報のリストの順で静止画を表示する動画データファイルを再生中に、ユーザーが表示する静止画をリストの前方に早送りスキップする、あるいは後方に戻りスキップする指示をした場合に、動画データが時間軸方向に大きく変化する境目の個数をカウントすることで、静止画をスキップする個数に相当する動画データファイルの再生時間位置を探して、その位置から再生することを特徴とする請求項３から５のいずれかに記載の再生装置。
【請求項７】
前記プレイリストまたは前記内容一覧情報のリストの順で静止画を表示する動画データファイルを再生中に、ユーザーが表示する静止画をリストの前方に早送りスキップする、あるいは後方に戻りスキップする指示をした場合に、各静止画の表示時間間隔を計算することで、静止画をスキップする個数に相当する動画データファイルの再生時間位置を探して、その位置から再生することを特徴とする請求項３から５のいずれかに記載の再生装置。
【請求項８】
前記プレイリストまたは前記内容一覧情報のリストの順で静止画を表示する動画データファイルを再生中に、ユーザーが表示する静止画をリストの前方に早送りスキップする、あるいは後方に戻りスキップする指示をした場合に、動画データファイルの中で表示される各静止画がどのタイミングで表示されるかの再生時間位置情報を示した管理情報ファイルを読み出すことで、静止画をスキップする個数に相当する動画データファイルの再生時間位置を探して、その位置から再生することを特徴とする請求項３から５のいずれかに記載の再生装置。
【請求項９】
静止画、オーディオ、動画のコンテンツデータファイルと前記コンテンツデータファイルの内容一覧情報または再生順序を定義したプレイリスト情報を示した管理情報ファイルを保持する記録媒体から前記コンテンツデータファイル及び前記管理情報ファイルの読み出しを行うファイル読み出しステップと、前記ファイル読み出しステップで読み出されたコンテンツデータファイルのデコードを行うコンテンツデータファイルデコードステップと、ユーザーの操作入力に従って前記コンテンツデータファイルを再生するための動作を制御する再生制御ステップとを備え、前記再生制御ステップはユーザーが前記一覧情報または前記プレイリスト情報の中から再生するコンテンツを選択した場合に、選択されたとは異なる別の前記コンテンツデータファイルを再生するように動作することを特徴とする再生方法。
【請求項１０】
ユーザーが前記内容一覧情報の中から１個の静止画データファイルを再生するように選択した場合に、その静止画データファイルを元に、モニター画面に表示するのに適した解像度になるように画素サイズを小さくあるいは大きくした、あるいは縦横の長さの比率を変更した、あるいは画像の向きを回転した静止画として加工され、前記記録媒体にあらかじめ保存してある別の静止画データファイルを読み出して表示することを特徴とする請求項９記載の再生方法。
【請求項１１】
ユーザーが前記内容一覧情報の中から静止画データファイルの再生順序を定義したプレイリストを再生するように選択した場合に、前記プレイリストで示された表示時間間隔で順番に静止画を表示するように作成されていて前記記録媒体にあらかじめ保存してある動画データファイルを読み出して表示することを特徴とする請求項９記載の再生方法。
【請求項１２】
前記プレイリストには静止画データファイルの再生順序の情報に加え、静止画の表示に合わせて同時に再生するオーディオデータファイルの情報も示されている場合には、前記プレイリストで示された表示時間間隔で順番に静止画を表示しながらオーディオも再生するように作成されていて前記記録媒体にあらかじめ保存してある動画データファイルを読み出して表示することを特徴とする請求項１１記載の再生方法。
【請求項１３】
ユーザーが前記内容一覧情報の中から１個の静止画データファイルを選択し、一覧で表示されたファイルを順番に再生するように指示した場合に、前記内容一覧情報のリストで示された静止画を決められた表示時間間隔で順番に表示するように作成されていて前記記録媒体にあらかじめ保存してある動画データファイルを読み出し、ユーザーが選択した静止画データファイルから表示することを特徴とする請求項９記載の再生方法。
【請求項１４】
前記プレイリストまたは前記内容一覧情報のリストの順で静止画を表示する動画データファイルを再生中に、ユーザーが表示する静止画をリストの前方に早送りスキップする、あるいは後方に戻りスキップする指示をした場合に、動画データが時間軸方向に大きく変化する境目の個数をカウントすることで、静止画をスキップする個数に相当する動画データファイルの再生時間位置を探して、その位置から再生することを特徴とする請求項１１から１３のいずれかに記載の再生方法。
【請求項１５】
前記プレイリストまたは前記内容一覧情報のリストの順で静止画を表示する動画データファイルを再生中に、ユーザーが表示する静止画をリストの前方に早送りスキップする、あるいは後方に戻りスキップする指示をした場合に、各静止画の表示時間間隔を計算することで、静止画をスキップする個数に相当する動画データファイルの再生時間位置を探して、その位置から再生することを特徴とする請求項１１から１３のいずれかに記載の再生方法。
【請求項１６】
前記プレイリストまたは前記内容一覧情報のリストの順で静止画を表示する動画データファイルを再生中に、ユーザーが表示する静止画をリストの前方に早送りスキップする、あるいは後方に戻りスキップする指示をした場合に、動画データファイルの中で表示される各静止画がどのタイミングで表示されるかの再生時間位置情報を示した管理情報ファイルを読み出すことで、静止画をスキップする個数に相当する動画データファイルの再生時間位置を探して、その位置から再生することを特徴とする請求項１１から１３のいずれかに記載の再生方法。
【請求項１７】
元データとしての静止画データファイルと１個の静止画データファイルを元に、モニター画面に表示するのに適した解像度になるように画素サイズを小さくあるいは大きくした、あるいは縦横の長さの比率を変更した、あるいは画像の向きを回転した状態に加工された静止画データファイルと前記静止画データファイルの内容一覧情報及び元データなのか元データをどのように加工したデータであるかの関係を記載した相関情報といった管理情報ファイルとを保持することを特徴とする記録媒体。
【請求項１８】
静止画、オーディオ、動画のコンテンツデータファイルと前記コンテンツデータファイルの内容一覧情報または再生順序を定義したプレイリスト情報を示した管理情報ファイルと前記内容一覧情報のリストで示された静止画を決められた表示時間間隔で順番に表示するように作成された動画データファイルまたは前記プレイリストで示された表示時間間隔で順番に静止画を表示するように作成された動画データファイルとを保持することを特徴とする記録媒体。
【請求項１９】
前記プレイリストには静止画データファイルの再生順序の情報に加え、静止画の表示に合わせて同時に再生するオーディオデータファイルの情報も示されている場合には、前記プレイリストで示された表示時間間隔で順番に静止画を表示しながらオーディオも再生するように作成された動画データファイルも保持することを特徴とする請求項１８記載の記録媒体。
【請求項２０】
前記プレイリストまたは前記内容一覧情報のリストの順で静止画を表示する動画データファイルの中で表示される各静止画がどのタイミングで表示されるかの再生時間位置情報を示した管理情報ファイルも保持することを特徴とする請求項１８または１９のいずれかに記載の記録媒体。
【請求項２１】
前記コンテンツデータファイルと前記管理情報ファイルを保持するのはネットワークで接続された別の装置であることを特徴とする請求項１から８のいずれかに記載の再生装置。
【請求項２２】
前記コンテンツデータファイルと前記管理情報ファイルを保持するのはネットワークで接続された別の装置であることを特徴とする請求項９から１６のいずれかに記載の再生方法。
【請求項２３】
前記プレイリストには静止画に限らず、オーディオ、動画のいずれかのコンテンツデータファイルあるいはこれらを混合した状態で再生順序が定義され、オーディオのリストを動画に変換する場合にはあらかじめ決めておいた適切な映像を合成することを特徴とする請求項３から８のいずれかに記載の再生装置。
【請求項２４】
前記プレイリストには静止画に限らず、オーディオ、動画のいずれかのコンテンツデータファイルあるいはこれらを混合した状態で再生順序が定義され、オーディオのリストを動画に変換する場合にはあらかじめ決めておいた適切な映像を合成することを特徴とする請求項１１から１６のいずれかに記載の再生方法。
【発明の詳細な説明】
【技術分野】
【０００１】
本発明は、静止画、オーディオ、動画のコンテンツデータファイルを記録した記録媒体およびこれらのコンテンツデータファイルを一つずつ選択して再生するあるいはプレイリストに記述した順番に従って再生することが可能な再生装置に関するものである。
【背景技術】
【０００２】
従来、ＡＶ再生装置やコンピュータにおいては写真・絵画・グラフィックなどの静止画データや音楽・音声・効果音などのオーディオデータや映画・ビデオ・アニメーションなどの動画データを記録してある記録媒体から、ユーザーが自分の好みに応じて選択し、それらを再生して鑑賞することができる。これらのデータは記録媒体に応じた所定のファイルシステムで管理されており、パーソナルコンピュータを利用すると、階層構造を持ったディレクトリの中に存在するファイルとしてその所在を認識することができる。またこれらの静止画、オーディオ、動画といったコンテンツデータファイルを再生するときに、選択操作を便利にする独自のメニュー情報やプレイリスト情報を一緒に記録した記録媒体もある。
【０００３】
汎用的に利用されるプレイリストには、複数のコンテンツデータファイルを特定の順番で連続的に再生する手順を定義する方法として、ファイル名の前にディレクトリのパス名を付けた文字列を単純に並べただけのプレイリスト情報ファイル（例えば、非特許文献１参照）や、ファイル名とそれ以外の情報を一緒に記述したＸＭＬ（ｅＸｔｅｎｓｉｂｌｅ  Ｍａｒｋｕｐ  Ｌａｎｇｕａｇｅ）形式のプレイリスト情報ファイル（例えば、非特許文献２参照）や、コンテンツデータファイルをＩＤ番号で定義し、プレイリスト情報ファイルだけではなくメニューやコンテンツデータファイルのメタデータをまとめて管理するシステムなどが存在する（例えば、非特許文献３参照）。
【０００４】
ＣＤ−Ｒ（Ｃｏｍｐａｃｔ  Ｄｉｓｋ−Ｒｅｃｏｒｄａｂｌｅ）やＨＤ（Ｈａｒｄ  Ｄｉｓｋ）などの記録媒体上にコンテンツデータファイルと一緒にこれらのプレイリスト情報ファイルやメニューのような管理情報ファイルを記録しておくと、それぞれのプレイリスト情報ファイルに対応した再生装置で再生するときに、ユーザーはプレイリスト情報ファイルを選択するだけで希望のデータファイルを一定の順序で再生することができる。
【０００５】
また、ビデオＣＤ、ＤＶＤビデオなどの光ディスク記録媒体では、静止画を順番に表示する動画を記録しておき動画として再生する方法、いわゆるスライドショーやアルバムショーと呼ばれる再生方法がある。（例えば、特許文献１参照）。このようにデジタルカメラで撮影した写真などの静止画を、ＡＶ再生装置を利用してＴＶに映して鑑賞する機会が増加している。
【非特許文献１】ＣＤ→ＷＡＶ→ＭＰ３のページ作者、“プレイリストについて”、［  ｏｎｌｉｎｅ  ］、平成１７年６月２１日、［平成１７年６月２１日検索］、インターネット＜ＵＲＬ：  ｈｔｔｐ：／／ｗｗｗ．ｃｄｗａｖｍｐ３．ｃｏｍ／ｍｐ３／ｐｌａｙｅｒ／ｐｌａｙｌｉｓｔ．ｈｔｍｌ＞
【非特許文献２】Ｏｐｔｉｃａｌ  Ｓｔｏｒａｇｅ  Ｔｅｃｈｎｏｌｏｇｙ  Ａｓｓｏｃｉａｔｉｏｎ，  Ｉｎｃ．、“ＭＰＶ  Ｃｏｒｅ  Ｓｐｅｃｉｆｉｃａｔｉｏｎ  Ｒｅｖｉｓｉｏｎ  １．０１”、［  ｏｎｌｉｎｅ  ］、平成１７年６月２１日、［平成１７年６月２１日検索］、インターネット＜ＵＲＬ：ｈｔｔｐ：／／ｗｗｗ．ｏｓｔａ．ｏｒｇ／ｍｐｖ／ｐｕｂｌｉｃ／ｓｐｅｃｓ．ｈｔｍ＞
【非特許文献３】ＨｉｇｈＭＡＴ．ＣＯＭ、“ＨｉｇｈＭＡＴはここが違います”、［  ｏｎｌｉｎｅ  ］、平成１７年６月２１日、［平成１７年６月２１日検索］、インターネット＜ＵＲＬ：ｈｔｔｐ：／／ｗｗｗ．ｈｉｇｈｍａｔ．ｃｏｍ／ｊａｐａｎｅｓｅ／ｗｈａｔｉｓｉｔ／ｂｅｆｏｒｅａｎｄａｆｔｅｒ．ａｓｐ＞
【特許文献１】特開２００３−２５９３０３号公報
【発明の開示】
【発明が解決しようとする課題】
【０００６】
解決しようとする問題点は、上述した写真・絵画・グラフィックなどの静止画データを記録した記録媒体において、デジタルカメラで撮影する写真などでは高精細高画質化の進歩とともに年々画像サイズが増大する傾向にあり、撮影されたオリジナルの静止画データをそのまま保存してある場合には、ＡＶ再生装置を利用してＴＶのモニター画面に映し出すまでのファイルの読み出し、圧縮データのデコード、画像サイズの変更に必要な処理時間も増大するために、ファイルを選択してから表示されるまでに数秒間も待たされることが多くなってきている点である。
【０００７】
また、記録媒体がファイルシステムでデータの管理をしている場合に、あるファイルフォルダの中にまとめて保存されている静止画を特定の時間間隔で自動的に次々と表示させる動作や、あるいは静止画の再生順序とそれぞれの表示時間間隔を定義したプレイリストに従って表示させる動作を実行する場合に、ファイルの読み出し、圧縮データのデコード、画像サイズの変更に必要な処理時間が各静止画データによって異なるために、意図した表示時間間隔でスムーズに表示されないことが多くなっている。
【０００８】
一方、ビデオＣＤ、ＤＶＤビデオなどの規定に準拠して作成された光ディスク記録媒体では、静止画を順番に表示する動画を一つの動画ファイルとして記録しておき、これを再生することが可能であるが、ユーザーが自由に静止画、オーディオ、動画のコンテンツデータファイルやプレイリスト情報ファイルを自分が分類しやすい構成でファイルフォルダにまとめて整理し、記録しておくことができない。また、一緒に記録されている静止画を一覧表示し、その中の任意の１個の静止画から順次表示しようとした場合には、先に述べた動画ファイルを利用することができない。
【課題を解決するための手段】
【０００９】
本発明は、ユーザーが記録媒体に保存されたオリジナルの静止画データの一覧から表示したい１個の静止画データファイルを選択した場合には、その静止画データファイルを元に、モニター画面に表示するのに適した解像度になるように画素サイズを小さくあるいは大きくした、あるいは縦横の長さの比率を変更した、あるいは画像の向きを回転した静止画として加工しておいた別の静止画データファイルを読み出して表示し、また静止画データファイルの再生順序を定義したプレイリストを再生するように選択した場合には、プレイリストで示された表示時間間隔で順番に静止画を表示するように作成しておいた動画データファイルを読み出して表示し、また先に述べた動画データファイルの中の任意の画像の再生時間位置を、リストの各静止画の表示時間間隔を計算する、あるいは動画データが時間軸方向に大きく変化する境目の個数をカウントする、あるいは動画データファイルの中で表示される各静止画がどのタイミングで表示されるかの再生時間位置情報を示した管理情報ファイルをあらかじめ記録しておきこれを読み出すことにより、任意の画像から再生することを最も主要な特徴とする。
【発明の効果】
【００１０】
本発明の再生装置は、静止画データを記録した記録媒体において、モニター画面に表示するのに適した解像度、縦横のサイズ比率、回転角度を変更した別の静止画データファイル、記録されたファイルフォルダ毎あるいはプレイリスト毎に連続して高速に画面を切り替えて表示するのに適した動画データファイル、またそれぞれの静止画が動画データの中で表示される時間位置を示したあるいは簡単に計算できる管理情報ファイルをあらかじめ記録しておくことにより、ユーザーが任意の静止画データを表示する指示をした際に、１枚の静止画を表示するだけなのか、それとも順番に次々と静止画を表示するのかに応じて、代わりの静止画データファイルあるいは動画データファイルの適切な再生時間位置からデータを読み出し、高速に画面に表示することができるので、快適に写真やスライドショーを鑑賞できるという効果が得られる。
【発明を実施するための最良の形態】
【００１１】
記録媒体に保存された静止画データを鑑賞するのに、ファイルの一覧表示から任意の１枚を選択してから素早く表示する、プレイリストで決められたあるいは一覧表示された静止画データを連続してスムーズに画面切り替えしながら表示するという目的を、高速表示に適した静止画データや動画データあるいは管理情報ファイルをあらかじめ記録媒体に記録しておき、再生制御手段で必要に応じてファイルを読み出して利用することにより実現した。
【００１２】
以下本発明の実施の形態について、図１から図９を用いて説明する。
【００１３】
（実施の形態）
はじめに図１は、本発明の実施の形態における再生装置のブロック図である。
【００１４】
１は着脱可能な記録媒体、２は記録媒体１に保持される静止画データファイル、３は記録媒体１に保持されるオーディオデータファイル、４は記録媒体１に保持される動画データファイル、５は記録媒体１に保持されるコンテンツデータファイルの内容情報、プレイリスト、再生用メニュー等の補助的な情報を示した管理情報ファイル、６は本発明の再生装置、７はユーザーの操作入力に従ってコンテンツデータファイルを再生するための動作を制御する再生制御手段、８は記録媒体１からコンテンツデータファイルや管理情報ファイル５の読み出しを行うファイル読み出し手段、９はファイル読み出し手段８で読み出したコンテンツデータファイルのデコード処理を行うコンテンツデータファイルデコード手段、１０はユーザーに再生装置６の動作状況やコンテンツデータファイルを再生する際のメニューを表示するメニュー表示手段、１１はメニューを操作して再生装置６の動作を指示する操作入力手段、１２はファイル読み出し手段８で読み出したコンテンツデータファイルを加工してエンコード処理を行うコンテンツデータファイルエンコード手段、１３  は記録媒体１にコンテンツデータファイルの書き込みを行うファイル書き込み手段を構成している。
【００１５】
ここでは記録媒体１は着脱可能な構成としたが、再生装置に内蔵される記録媒体であり、さらに保持されるそれぞれのファイルを再生装置の外部に接続された装置や通信経路から取り込んだり、または読み出したりできる構成であっても良い。具体的には、記録媒体１は、ＣＤ−Ｒ／−ＲＷ、ＤＶＤ−ＲＡＭ／−Ｒ／−ＲＷ／＋Ｒ／＋ＲＷなどの光ディスク、リムーバブルのＨＤ、フラッシュメモリ、ネットワークに接続されたサーバーなどを有している。
【００１６】
また再生制御手段７は具体的には、ＣＰＵ（Ｃｅｎｔｒａｌ  Ｐｒｏｃｅｓｓｉｎｇ  Ｕｎｉｔ）や組み込み型のマイクロコンピュータなどを有している。
【００１７】
続いて、図２は本発明の実施の形態における静止画データファイルの説明図であり、２０〜２２はデジカメで撮影されたオリジナルの写真データ、２３〜２５はＮＴＳＣ方式ＴＶに表示するのに適したＳＤ（Ｓｔａｎｄａｒｄ  Ｄｅｆｉｎｉｔｉｏｎ）サイズに縮小、拡大、回転などの加工を施した後の写真データを示している。
【００１８】
続いて、図３は本発明の実施の形態における複数の静止画データファイルを連続して表示する動画データファイルの説明図であり、３０は記録媒体１の任意のファイルフォルダに保存された静止画データをサムネイル形式で９画面分を一覧表示した画面、３０はこのファイルフォルダに保存された静止画データファイルを５秒間隔で順番に表示するように作成された動画データファイル、３２は動画データファイルにおいて表示される画面が切り替わる境界部分を示している。
【００１９】
続いて、図４は本発明の実施の形態におけるプレイリストを一覧表示するメニュー画面の説明図であり、プレイリストのタイトルを並べて表示し、また各プレイリストのタイトルの横にはそれぞれのプレイリストにリストされるコンテンツのタイプ情報を表示し、これらの情報を参考にプレイリストを選択する矢印を上下に移動している様子を示している。
【００２０】
続いて、図５は本発明の実施の形態におけるプレイリストに従って複数のコンテンツデータファイルを連続して表示する動画データファイルの説明図であり、４１は様々なタイプのコンテンツを再生する順番を定義するプレイリスト情報ファイル、４２はプレイリスト情報ファイルの種別情報や各種補助情報などを格納するヘッダ部、４３はヘッダ部４２の一部であり本プレイリストにリストされるコンテンツが静止画、オーディオ、動画のどのタイプであるかを記述したプレイリストコンテンツタイプ、４４はヘッダ部４２の一部でありプレイリストのアルバム名などを記述したプレイリストタイプ、４５はリストされるファイルの数を記述したコンテンツデータファイル数、４６は再生されるコンテンツデータのファイルパス名と各コンテンツの再生開始時や終了時に適用されるトランジション効果などの指定情報を順番に記述した再生順序記述部を構成している。４７はプレイリストに従って写真データやムービーなどの映像を表示する動画データファイルを構成するビデオストリーム、４８はプレイリストに従って効果音やムービーなどの音声を鳴らす動画データファイルを構成するオーディオストリーム、４９はこの動画データファイルにおいて順番に再生されるコンテンツが切り替わる境界部分の再生時間位置情報を示している。
【００２１】
続いて、図６は本発明の実施の形態における静止画データのコンテンツ管理情報ファイルの説明図であり、５０はオリジナルの静止画データとそれを加工した静止画データの関係やファイルのパス名情報を示すコンテンツ管理情報ファイル、５１はコンテンツ管理情報ファイルの各種補助情報やオリジナルとして管理される静止画の数を記述した静止画データファイル数などを格納するヘッダ部、５２は本体となるデータ部、５３はデータ部５２の一部であり元となる静止画データのファイルパス名を記述した静止画データファイルテーブル、５４はデータ部５２の一部であり表示用に加工された静止画データのファイルパス名を記述した表示用静止画データファイルテーブルを構成している。
【００２２】
続いて、図７は本発明の実施の形態におけるスライドショーデータのコンテンツ管理情報ファイルの説明図であり、６０はコンテンツをファイルフォルダ毎およびプレイリスト毎に表示する動画データファイルでコンテンツ境界となる再生時間位置情報を示すスライドショーデータのコンテンツ管理情報ファイル、６１はスライドショーデータの各種補助情報やスライドショーの数を格納するヘッダ部、６２は本体となるデータ部、６３はデータ部６２の一部であり各静止画フォルダに対応する動画データのファイルパス名や再生時間位置情報テーブルへのオフセットを記述した静止画フォルダテーブル、６４はデータ部６２の一部であり各プレイリストに対応する動画データのファイルパス名や再生時間位置情報テーブルへのオフセットを記述したプレイリストテーブル、６５はデータ部６２の一部であり静止画フォルダ毎の再生時間位置情報を記述した静止画フォルダコンテンツテーブル、６６はデータ部６２の一部でありプレイリスト毎の再生時間位置情報を記述したプレイリストフォルダコンテンツテーブルを構成している。
【００２３】
続いて、図８は本発明の実施の形態における動画データファイルのファイル名の説明図であり、７０はスライドショーデータのコンテンツ管理情報ファイル６０を用いずに静止画のファイルフォルダ名から動画データファイル名を一意的に決める場合を示し、７１はスライドショーデータのコンテンツ管理情報ファイル６０を用いずにプレイリストファイル名から動画データファイル名を一意的に決める場合を示している。
【００２４】
続いて、図９は本発明の実施の形態におけるコンテンツのプレイリストを再生する際に、管理情報ファイルの内容とプレイリストの有無と該当プレイリストに対応した動画データファイルの有無を確認し、ユーザーの指示による表示コンテンツのスキップ動作に対応しながら選択されたコンテンツの再生を制御する処理のフロー図である。
【００２５】
次に、コンテンツのプレイリスト再生を制御する処理のフロー図９を用いて再生装置６において静止画データファイルや動画データファイルをプレイリストに従って再生するときの動作について説明する。
【００２６】
記録媒体１には写真・絵画・グラフィックなどの静止画データファイル２や音楽・音声・効果音などのオーディオデータファイル３や映画・ビデオ・アニメーションなどの動画データファイル４といったコンテンツデータファイルとコンテンツ再生の動作手順の設定や選択をするためのユーザーインターフェースとなるメニュー情報やコンテンツデータファイルを特定の順番で連続的に再生する手順を定義したプレイリスト情報を示した管理情報ファイル５が保存されているとする。ユーザーはメニュー表示手段１０に表示されるメニューを見ながら、操作入力手段１１によって再生したいコンテンツを直接選択したり、目的のコンテンツが含まれたプレイリストを選択する。ここではプレイリストの一覧を表示し、その中から一つを選択して再生する場合を説明する。このとき再生装置６は次のように動作する。
【００２７】
記録媒体１を再生装置６に装着する、あるいは操作入力手段１１によりメニュー表示指示を入力すると再生制御手段７がそのことを関知してプレイリスト再生処理８０を開始する。処理ステップ８１で記録媒体１に保持された管理情報ファイル５をファイル読み出し手段６により読み出し、分岐処理ステップ８２で管理情報ファイル５にプレイリストファイルが存在することを判別すると、処理ステップ８３で管理情報ファイル５に含まれたメニュー情報を利用して図４のプレイリスト一覧４０に示すメニュー画面をメニュー表示手段１０により表示する。プレイリスト一覧４０は全てのプレイリストが１画面に収まりきらない場合には次の頁に送ってその続きを表示することや、矢印で選択しているプレイリストのリスト内容を表示することも可能である。そして４番目に表示されているハワイ旅行のプレイリストを選択する場合の手順は、処理ステップ８４で矢印を上下に移動して目的のプレイリストの位置で決定キーを押すか、あるいはテンキーの４を押してダイレクトに選択する。続いて分岐処理ステップ８５で選択されたプレイリストに相当するコンテンツを再生する動画データファイル４が記録媒体１に存在するかどうかを確認する。図７のスライドショーデータのコンテンツ管理情報ファイル６０においてプレイリストテーブル６４にプレイリスト４用動画ファイルのパス名が記述されていない場合には、存在しないと判別し処理ステップ８６に分岐する。処理ステップ８６で図５のプレイリスト情報ファイル４１の再生順序記述部４６に記述された第一番目に再生するコンテンツデータファイルパス名を確認し、ファイル読み出し手段８により記録媒体１から該当のコンテンツファイルを読み出し、コンテンツデータファイルデコード手段９によりファイルのデコード処理を行うことにより再生を開始する。このとき読み出すコンテンツが静止画データであると、データファイルの読み出し、圧縮データのデコード、画像サイズの変更の処理が必要なためプレイリストを選択してから画像が全て表示されるのに、長い場合には数秒間も待たされることがある。そして分岐処理ステップ８７でプレイリストの最終コンテンツまで再生したかどうかを確認し、まだ最終ではないと判別すると分岐処理ステップ８８に分岐する。続いて分岐処理ステップ８８でユーザーからリストされたコンテンツを数個飛ばして再生したいあるいは数個戻って再生したい旨の指示を確認した場合には、処理ステップ８９に分岐する。処理ステップ８９では指定された数だけリストされたコンテンツをスキップして再生する。このように予定されていた順番通りでないコンテンツを再生するときには、読み出すコンテンツが静止画データであると、データファイルの読み出し、圧縮データのデコード、画像サイズの変更処理等を事前にバックエンドで処理しておくこともできないため、スキップ操作をしてから画像が全て表示されるのに、再び数秒間も待たされることとなる。分岐処理ステップ８８でスキップの指示が無いと判断した場合にはプレイリストの順番通りに再生を継続する。こうして最終コンテンツまで再生するとプレイリストによる再生処理を終了する。
【００２８】
一方、図７のスライドショーデータのコンテンツ管理情報ファイル６０においてプレイリストテーブル６４にプレイリスト４用動画ファイルのパス名が記述されている場合には、プレイリストに相当するコンテンツを再生する動画データファイル４が記録媒体１に存在すると判断されるため、分岐処理ステップ８５から処理ステップ９１に分岐する。処理ステップ９１でプレイリストテーブル６４に記述されたプレイリスト４用動画ファイルのパス名に従い、ファイル読み出し手段８により記録媒体１から該当の動画データファイルを読み出し、コンテンツデータファイルデコード手段９によりデコード処理を行い動画の再生を開始する。分岐処理ステップ９２で動画データファイルの最後まで再生したかどうかを確認し、まだ最終ではないと判別すると分岐処理ステップ９３に分岐する。続いて分岐処理ステップ９３でユーザーからリストされたコンテンツを数個飛ばして再生したいあるいは数個戻って再生したい旨の指示を確認した場合には、処理ステップ９４に分岐する。指定された数だけリストされたコンテンツをスキップして再生するのと同様の効果を得るために、スキップ数で指定されたコンテンツが動画データファイル中に記録されている位置を探索し、そこから再生を再開する。処理ステップ９４では図７のスライドショーデータのコンテンツ管理情報ファイル６０においてプレイリストテーブル６４に記述されたプレイリスト４情報へのオフセットからプレイリスト４のコンテンツ再生時間をリストしたプレイリストコンテンツテーブル６６の記録位置を読み取る。そしてスキップ指示で指定されたコンテンツの再生時間位置情報を得ることができる。またこれとは別の方法として画像情報が前後のフレームで異なる境目を検出し、これをカウントすることでも所定の画像分をスキップすることも可能である。特にこの動画データが一枚の静止画データを一つのＩフレームデータとしてエンコードされている場合には、コンテンツのスキップ数とＩフレームの数が一致するので、より簡単に再生時間位置情報を得ることができる。更に別の方法として図５のプレイリスト情報ファイル４１において再生順序記述部４６の各コンテンツの再生指定情報に記述される各静止画の再生時間情報を合計することにより、現在の再生時間では何番目のコンテンツが表示されているのか、何番目のコンテンツはどの時間に再生されるのかを計算で確認できるので、スキップ指示で指定されたコンテンツの再生時間位置情報を得ることができる。続いて処理ステップ９５では取得した再生時間位置の動画データを再生する。静止画データファイルとは違い、動画データファイルではＴＶのモニター画面に表示するのに適した画像サイズでビデオストリームをエンコードしているため、任意の位置から素早く再生を開始することができ、スキップ操作をしてから画像が表示されるのに待たされる時間が短いので、ユーザーは軽快な操作感を得ることとなる。分岐処理ステップ９３でスキップの指示が無いと判断した場合には、そのまま動画データの再生を継続するだけでよい。そのため静止画データファイルを順番に再生するときのように一枚毎にデータファイルを探して読み出し、圧縮データのデコード、画像サイズの変更をするといった重い処理が不要なため、途切れることなくスムーズに切り替わる画像を鑑賞することができる。こうして最終コンテンツまで再生するとプレイリストによる再生処理を終了する。ここでは静止画データファイル２のみがリストされたプレイリスト情報ファイルを想定して説明したが、図５に示すビデオストリーム４７やオーディオストリーム４８のようにオーディオデータファイル３や動画データファイル４が混在してリストされていても、図７のスライドショーデータのコンテンツ管理情報ファイル６０におけるプレイリストコンテンツテーブル６６のコンテンツの再生時間位置情報や図５のプレイリスト情報ファイル４１における再生順序記述部４６の各コンテンツの再生指定情報に記述される各コンテンツの再生時間情報を利用することにより、ｔ０，ｔ１，ｔ２・・・といったコンテンツ境界の再生時間位置情報を算出し、同様に制御することができる。またビデオストリーム４７に示すように写真２と写真３の間にクロスフェードなどのトランジション効果を挿入する場合でもトランジション時間を再生順序記述部４６の再生指定情報に記述しておくことで、問題なく再生時間位置情報４９を算出することができる。またオーディオストリーム４８に示すように写真を表示するタイミングで効果音を挿入したり、ＢＧＭ（Ｂａｃｋ  Ｇｒｏｕｎｄ  Ｍｕｓｉｃ）を鳴らしたりすることで、無音で写真を表示するだけよりも表現豊かで芸術的な趣のあるスライドショーを実現することができる。
【００２９】
ここまではプレイリスト情報ファイル４１が存在することを前提にしてきたが、静止画データファイルを撮影イベント毎、撮影カメラ毎に異なる複数のファイルフォルダに分類して記録媒体１に保存することを前提とすると、プレイリスト情報ファイル４１が無い場合でも、ファイルフォルダ単位で静止画を連続再生する動画データファイル４を同じく記録媒体１に保存しておき、あたかもその順番で再生するように定義されたプレイリストデータファイルがあるかのように想定することで、ファイルフォルダを選択するだけで動画によるスライドショーを楽しむことができる。このときの静止画データの表示時間間隔は一定とし、その値を情報管理ファイルに記述しておいても良く、さらに図７のスライドショーデータのコンテンツ管理情報ファイルの静止画フォルダテーブル６３や静止画フォルダコンテンツテーブルに示すようにプレイリストと同様の情報を記述しておくことで、一枚一枚の表示時間間隔を異なる時間に設定したり、トランジション効果を挿入することも可能である。
【００３０】
また図９のコンテンツのプレイリスト再生を制御する処理のフロー図で説明したように、必ずしも一番目のコンテンツから再生を開始する必要はなく、図３の複数の静止画データファイルを連続して表示する動画データファイルの説明図のサムネイル形式での一覧表示３０に示すようにファイルフォルダ内の静止画の一覧を表示し、その中から任意の一枚を選択すると、一覧順に静止画を表示する動画３１に示すように、その静止画を表示する位置から再生するようにしてもよい。
【００３１】
また、管理情報ファイル５の一つの形態としてスライドショーデータのコンテンツ管理情報ファイル６０が記録媒体１に保存され、ファイルフォルダ単位やプレイリスト単位での連続再生でどの動画データファイルを利用すればよいかを判断できる構成としたが、もっと簡単な方法として、図８に示すように置き換えて再生する動画データファイルのファイル名をファイルフォルダ名あるいはプレイリストのファイル名から一対一で一意的に決定できる構成とすることで、管理情報ファイルを記述することなく必要な動画データファイルを探すことができる。
【００３２】
以上においては、一つの実施の形態について詳細に説明を行った。
【００３３】
続いて別の形態について説明を行う。記録媒体１に保存された静止画データファイル２を高速に表示するために、動画データファイル４を利用するのではなく、図２に示すように元の写真Ａ２０、元の写真Ｂ２１、元の写真Ｃ２２を元のデータとして、表示用写真Ａ２３，表示用写真Ｂ２４のようにモニター画面に表示するのに適した解像度になるように画素サイズを小さくあるいは大きくした、あるいは表示用写真Ｃ２５のように縦横の長さの比率を変更した、あるいは画像の向きを回転した静止画として加工された別の静止画データファイル２を読み出して表示するようにしてもよい。置き換えて表示するデータが複数種ある場合には、図６の静止画データのコンテンツ情報管理ファイル５０に示すようにサムネイルサイズ用、ＳＤサイズ用、ＨＤ（Ｈｉｇｈ  Ｄｅｆｉｎｉｔｉｏｎ）サイズ用、回転用のデータのテーブルを作成しておくと、表示用モニターとして接続するＴＶに合わせて、最適なサイズのデータを利用することができる。このような表示用の静止画データファイル２は記録媒体１にあらかじめ保存しておいてもよいし、コンテンツデータファイルエンコード手段１２とファイル書き込み手段１３を備えている場合には、記録媒体１を再生装置６に装着したとき、あるいは電源を投入したとき、もしくは再生動作を行っているときのバックグランドで少しずつ表示用データを作成し、記録媒体１に保存するような構成にしてもよい。また記録媒体１は再生装置６から脱着可能な構成としたが、再生装置に内蔵される構成であってもよい。さらに記録媒体１は再生装置６から脱着可能な構成でありながら内蔵する記録媒体も備え、表示用に加工した静止画データファイルは内蔵する記録媒体に保存する構成であってもよい。
【００３４】
以上の処理により、記録媒体に保存された写真・絵画・グラフィックなどの静止画データを、ＡＶ再生装置を利用してＴＶのモニター画面に映し出す場合に、前もって表示用に最適化された静止画データを作成しておくことで、ファイルの読み出し、圧縮データのデコード、画像サイズの変更に必要な処理時間を軽減し、ファイルを選択してから表示されるまでに待たされる時間を短縮することができる。また、記録媒体にファイルフォルダの中にまとめて保存されている静止画を特定の時間間隔で自動的に次々と表示させる動作や、あるいは静止画の再生順序とそれぞれの表示時間間隔を定義したプレイリストに従って表示させる動作を実行する場合に、静止画を順番に表示する動画を一つの動画ファイルとして記録しておき、これをプレイリストやファイルフォルダと関連付けておき、必要に応じて代わりに再生することで意図した表示時間間隔でスムーズに表示することができる。またプレイリスト単位やファイルフォルダ単位で、そこに含まれるコンテンツを一覧表示し、その中の任意の１個の静止画から順次表示したいという要求も実現できる。
【００３５】
尚、本発明の装置は再生制御手段７、コンテンツデータファイルデコード手段９、コンテンツデータファイルエンコード手段１２の全部又は一部の手段の機能をコンピュータにより実行させるためのプログラムであって、コンピュータと協働して動作するプログラムであってもよい。
【産業上の利用可能性】
【００３６】
本発明にかかる再生装置は、記録媒体に保存された写真・絵画・グラフィックなどの静止画データを、ＡＶ再生装置を利用してＴＶのモニター画面に映し出す場合、あるいは記録媒体にファイルフォルダの中にまとめて保存されている静止画を特定の時間間隔で自動的に次々と表示する場合、あるいは静止画の再生順序とそれぞれの表示時間間隔を定義したプレイリストに従って表示する場合において、前もって表示用に最適化した静止画データを作成しておく、あるいは静止画を順番に表示する動画を一つの動画ファイルとして記録しこれを利用することにより、ファイルを選択してから表示されるまでに待たされる時間を短縮し、連続して再生するときにも意図した表示時間間隔でスムーズに表示するという用途にも適用できる。
【図面の簡単な説明】
【００３７】
【図１】本発明の実施の形態における再生装置のブロック図
【図２】本発明の実施の形態における静止画データファイルの説明図
【図３】本発明の実施の形態における複数の静止画データファイルを連続して表示する動画データファイルの説明図
【図４】本発明の実施の形態におけるプレイリストを一覧表示するメニュー画面の説明図
【図５】本発明の実施の形態におけるプレイリストに従って複数のコンテンツデータファイルを連続して表示する動画データファイルの説明図
【図６】本発明の実施の形態における静止画データのコンテンツ管理情報ファイルの説明図
【図７】本発明の実施の形態におけるスライドショーデータのコンテンツ管理情報ファイルの説明図
【図８】本発明の実施の形態における動画データファイルのファイル名の説明図
【図９】本発明の実施の形態におけるコンテンツのプレイリスト再生を制御する処理のフロー図
【符号の説明】
【００３８】
１    記録媒体
２    静止画データファイル
３    オーディオデータファイル
４    動画データファイル
５    管理情報ファイル
６    再生装置
７    再生制御手段
８    ファイル読み出し手段
９    コンテンツデータファイルデコード手段
１０    メニュー表示手段
１１    操作入力手段
１２    コンテンツデータファイルエンコード手段
１３    ファイル書き込み手段
【図１】
2007020055.tif 000003
【図２】
2007020055.tif 000004
【図３】
2007020055.tif 000005
【図４】
2007020055.tif 000006
【図５】
2007020055.tif 000007
【図６】
2007020055.tif 000008
【図７】
2007020055.tif 000009
【図８】
2007020055.tif 000010
【図９】
2007020055.tif 000011